(57)【特許請求の範囲】
【請求項１】
複数のパケットからなり、各パケットは予め定める第１のフォーマットでパケット化されて伝送され、メッセージ情報が含まれるメッセージエリアを有して、最終パケットに誤り処理用の信号が付されるフレームが時系列的に伝送される第１伝送信号として受信され、該複数のパケットに格納されているメッセージ情報を復号して、第１伝送信号と同等のメッセージエリアを有し、予め定める第２のフォーマットでパケット化される第２伝送信号のメッセージエリアに復号されたメッセージ情報を変換なしで記録する受信装置において、
第２伝送信号の各パケットについて、メッセージエリアに記録するメッセージ情報が該メッセージエリアに満たない場合、最終パケットのメッセージ情報の最終部分に、予め作成されるダミーデータを付加するデータ付加手段と、
データ付加手段によってダミーデータが最終パケットに付加された第２伝送信号を生成して出力するデータ出力手段とを含むことを特徴とする受信装置。
【請求項２】
前記データ付加手段は、前記受信データに前記ダミーデータを付加する際、該信号にフォーマットの近似のためにダミーデータが付加されていることを示す識別情報を併せて付加し、
転送される信号を受信して、該識別情報に基づき、転送される信号が該ダミーデータが付加されている信号であるか否かを判定するデータ判定手段をさらに含むことを特徴とする請求項１記載の受信装置。
【請求項３】
請求項２記載の受信装置から転送される信号を記録する記録装置であって、
転送される信号を受信して、該記録装置でデータ記録に用いるフォーマットの信号であるか、ダミーデータを付加して該フォーマットに近似させた信号であるかを、前記識別情報に基づいて判定するデータ判定手段と、
データ判定手段による判定結果に従って、受信信号が該記録装置でデータ記録に用いるフォーマットの信号であるときは予め設定される正規の記録処理によって記録を行い、受信信号がダミーデータを付加してフォーマットを近似させた信号であるときは予め設定される仕様に従ってデータを補完して記録を行うデータ記録手段とを含むことを特徴とする記録装置。
【発明の詳細な説明】
【０００１】
【発明の属する技術分野】
本発明は、放送されるデジタルデータを受信して記録する受信装置および記録装置に関する。
【０００２】
【従来の技術】
従来から、デジタル衛星放送やＦＭ文字多重放送等のデジタル無線放送、あるいはデジタルケーブルＴＶ放送等のデジタル有線放送の伝送系は、各々の規格で定められている伝送フォーマットを用いて、データの伝送を行っている。また、ミニディスク、デジタルオーディオテープ、コンパクトディスク、デジタルビデオディスク（以下、それぞれ「ＭＤ」、「ＤＡＴ」、「ＣＤ」、「ＤＶＤ」と略称することがある）などのデジタル記録媒体や半導体記憶装置等のデジタルデータの記録装置に関連するデータの伝送も、予め定められる伝送フォーマットに従って行われている。すなわち、デジタルオーディオデータの伝送においては、デジタルオーディオインタフェース等の規格で定められたフォーマットでＣＤからＭＤ、またＤＡＴからＭＤ等への伝送を行っている。
【０００３】
たとえば、ＦＭ文字多重放送の場合は、音楽データ等の音声データがＦＭ変調されたアナログ信号で主データとして送信され、曲名やアーティスト名等の文字データがデジタル信号として多重化されて送信される。ＦＭ文字多重放送用受信機では、該主データをＦＭ復調回路で復調して音楽データをスピーカ等から出力して音響的に再生する。一方、多重化されているデジタル信号は、受信信号中から多重信号復調回路でクロック信号とともに抽出され、誤り訂正・誤り検出回路による誤り判定後、番組データとしてデータ処理され、表示データとして受信機の表示装置に出力される。
【０００４】
そのようなＦＭ文字多重放送の番組をＭＤ等のデジタル記録媒体に記録する場合に、主データである音楽データ等の音声データは、ＦＭ復調後のアナログ信号を、通常のライン入力と同様にアナログ／デジタル（以下、「Ａ／Ｄ」と略称する）変換を行ってデジタルデータに変換し、ＭＤで用いられているデジタル圧縮処理を施して、ＭＤ用の記録フォーマットでＭＤに記録する。多重化されている文字データは、前述のように処理された番組データからＭＤに記録するデータを抽出し、さらにＭＤ用の記録フォーマットに変換して、ＭＤのユーザ用テキストオブコンテンツエリア（以下、「ＵＴＯＣ」と略称する）に格納する。
【０００５】
また、デジタル衛星放送の場合には、音楽データ等の音声データである主データおよび文字データが専用フォーマットを有するデジタル信号として送信される。デジタル衛星放送受信機では、受信信号から復調回路で復調するデジタル信号から主データである音楽データ等の音声データを抽出し、デジタル／アナログ（以下、「Ｄ／Ａ」と略称する）変換によってアナログ信号に変換し、スピーカ等から音響出力させる。一方、文字データは、復調回路で復調するデジタル信号から抽出し、番組データとしてデータ処理し、表示データとして受信機の表示装置に表示される。
【０００６】
そのようなデジタル衛星放送の番組をＭＤ等のデジタル記録媒体に記録する場合には、前述のように主データである音楽データ等の音声データを抽出し、ＭＤで用いられているデジタル圧縮処理を施して、ＭＤ用の記録フォーマットでＭＤに記録する。多重化されている文字データは、前述のように処理された番組データからＭＤに記録するデータを抽出し、さらにＭＤ用の記録フォーマットに変換して、ＭＤのＵＴＯＣに格納する。
【０００７】
さらに、デジタルオーディオインタフェース規格を用いるＣＤからＭＤ、またはＭＤからＣＤ等へのデジタルデータ転送に関しては、予め定められる伝送フォーマットで、主データである音楽データ等の音声データと、副データである著作権情報等の制御情報および曲名等の文字情報とが伝送される。
【０００８】
【発明が解決しようとする課題】
前述のような従来技術においては、たとえばＦＭ文字多重放送およびデジタル衛星放送等における音楽番組で放送される音楽データを受信して、受信した受信機で再生するために一時的に記録する目的で伝送する場合、ＣＤ、ＭＤ、ＤＡＴ等のデジタル記録媒体であるパッケージメディアまたは専用の記録装置に記録する記録データフォーマットは考慮されていない。そのような場合とは、主データで音楽番組を送信中に、副データで該音楽データに関連する情報、たとえば送信中の音楽データの曲名、アーティスト名等のテキストデータが送信されるとき、受信機で復号して表示されているか、または表示するために復号されている情報を、一時的に記録することを目的に、パッケージメディア等に記録する場合等である。
【０００９】
そのような一時的な記録が目的の情報は、伝送される方式毎に予め定められるフォーマットに変換されて送出される。該伝送フォーマットは、通常、パケット単位と表現されることもあるブロック単位で構成される。該ブロックは、同期符号、情報データおよび誤り訂正・誤り検出用のパリティビットで構成される。該情報データは、データ管理・制御用データと本体データとで構成される。前述の副データであるデジタルデータは、該情報データの本体データに割当てられる。その際に、該デジタルデータは、ブロック毎の該本体データのデータサイズに合致させるため、分割等の加工が施される場合がある。なお、該ブロックのフォーマットは、伝送される方式毎にそれぞれ特化して定められ、通常、各々が異なるフォーマットとなる。データを受信した場合、受信機では受信データから該副データを復号し、主データと連携してパッケージメディア等に記録する。この際に、復号された副データは、前述のように受信機の表示装置等で表示する目的のデータであり、各々のパッケージメディア等での記録用のフォーマットにはなっていないので、該データを記録する場合は、記録用のフォーマットに合致するようにデータ加工等の編集処理が施される。該編集処理は、受信機または記録装置によって行われる。加工の内容や方法は、受信機または記録装置の仕様に従う。
【００１０】
このように記録された副データを他のパッケージメディア等に転送する場合は、デジタルオーディオインタフェース等の規格で定められている方式等を用いて伝送される。その際も、副データは、パケット単位で伝送される。しかしながら、記録されている副データには、パッケージメディア等の記録装置間のデータ転送時に使用するような誤り検出用の情報がないので、新たに送出側でパリディデータ等の誤り検出用データを生成し、付加することによって誤り検出を行って転送するか、誤り検出用データを付加しないで誤り検出を行わずに転送する必要がある。
【００１１】
一方、ＣＤ、ＭＤ、ＤＡＴ等のデジタル記録媒体であるパッケージメディア等の記録装置に記録することを目的として、たとえばデジタル衛星放送等で音楽配信を行う場合においては、該パッケージメディア等の記録用データフォーマットに対応する必要がある。たとえば、パッケージメディアに記録することを目的に、音声データ等の音楽データと、送信中の音楽データの曲名、アーティスト名等のテキストデータなどの該音楽データに関連する情報であるデジタルデータとを送信する場合、伝送される音楽データおよび関連情報がパッケージメディアに記録された後で、さらにパッケージメディア間で複写などのために転送される等の場合を考慮して、パッケージメディアでの記録用フォーマットに適応したデータ内容で伝送する必要がある。パッケージメディア間の伝送においても、データの転送は、ブロック単位で行われ、誤り検出付きでデータ転送を行う場合は、該パッケージメディア間のデータ転送時の誤り検出用パリティ情報がブロック毎に付加される。したがって、デジタル衛星放送等における音楽データの伝送時に、該パリティ等のパッケージメディア間の伝送用誤り検出用情報を送出するか、伝送時に送出しない場合は受信機側で該誤り検出用情報を生成・付加する必要がある。
【００１２】
しかしながら、誤り検出用情報を事前にデジタル衛星放送等の伝送データに組込んで送信する場合は、パッケージメディアに音楽情報を記録するという第１次の目的とは直接関連しない、パッケージメディア間のデータ転送という第２次の目的のために、放送の伝送効率が低下してしまうという不具合がある。また、受信機側で誤り検出用情報を生成・付加する場合においては、受信機側の処理効率が低下する不具合がある。
【００１３】
本発明の目的は、信頼性を保持しながらデータ伝送の処理効率を向上させることができる受信装置および記録装置を提供することである。
【００１６】
【課題を解決するための手段】
本発明は、複数のパケットからなり、各パケットは予め定める第１のフォーマットでパケット化されて伝送され、メッセージ情報が含まれるメッセージエリアを有して、最終パケットに誤り処理用の信号が付されるフレームが時系列的に伝送される第１伝送信号として受信され、該複数のパケットに格納されているメッセージ情報を復号して、第１伝送信号と同等のメッセージエリアを有し、予め定める第２のフォーマットでパケット化される第２伝送信号のメッセージエリアに復号されたメッセージ情報を変換なしで記録する受信装置において、
第２伝送信号の各パケットについて、メッセージエリアに記録するメッセージ情報が該メッセージエリアに満たない場合、最終パケットのメッセージ情報の最終部分に、予め作成されるダミーデータを付加するデータ付加手段と、
データ付加手段によってダミーデータが最終パケットに付加された第２伝送信号を生成して出力するデータ出力手段とを含むことを特徴とする受信装置である。
【００１７】
本発明に従えば、第１のフォーマットでパケット化された複数のパケットからなり、最終パケットに誤り処理用の信号が付されるフレームが時系列的に伝送される第１伝送信号を受信し、第１のフォーマットよりも伝送の効率が高い第２のフォーマットでパケット化される第２伝送信号に複合する。第１のフォーマットの複数の各パケットに格納されているメッセージ情報を復号して第２のフォーマットでパケット化して記録する際に、メッセージ情報がメッセージエリアに満たなければ、データ付加手段によって最終パケットのメッセージ情報の最終部分には、受信データの第１のフォーマットが、記録装置でデータ記録に用いる第２のフォーマットに近似するように、予め作成されるダミーデータが付加される。ダミーデータの付加によってフォーマットを近似させるので、信頼性を保持しながら記録装置に記録するために行うデータ伝送の効率を向上させることができる。
【００１８】
また本発明で、前記データ付加手段は、前記受信データに前記ダミーデータを付加する際、該信号にフォーマットの近似のためにダミーデータが付加されていることを示す識別情報を併せて付加し、
転送される信号を受信して、該識別情報に基づき、転送される信号が該ダミーデータが付加されている信号であるか否かを判定するデータ判定手段をさらに含むことを特徴とする。
【００１９】
本発明に従えば、データ判定手段が受信データにダミーデータが付加されているか否かを識別情報に基づいて判定するので、判定結果に応じて受信データに対する適切な処理を行うことができる。
【００２０】
さらに本発明は、受信装置から転送される信号を記録する記録装置であって、転送される信号を受信して、該記録装置でデータ記録に用いるフォーマットの信号であるか、ダミーデータを付加して該フォーマットに近似させた信号であるかを、前記識別情報に基づいて判定するデータ判定手段と、
データ判定手段による判定結果に従って、受信信号が該記録装置でデータ記録に用いるフォーマットの信号であるときは予め設定される正規の記録処理によって記録を行い、受信信号がダミーデータを付加してフォーマットを近似させた信号であるときは予め設定される仕様に従ってデータを補完して記録を行うデータ記録手段とを含むことを特徴とする記録装置である。
【００２１】
本発明に従えば、転送される信号は記録装置でデータ記録に用いるフォーマットまたはそのフォーマットに近似するようにダミーデータが付加された信号であるので、ほぼ同様にデータ転送のための処理を行い、転送効率を向上させることができる。データ判定手段の判定結果に従って、近似させた信号に対してデータを補完して記録を行うので、記録装置に適合した状態で記録することができる。
【００２２】
【発明の実施の形態】
図１は、本発明の実施の第１形態としての受信端末の概略的な電気的構成を示す。本実施形態の受信端末は、受信機能と記録機能とをともに備えているけれども、受信機能と記録機能とが各々独立して別個の装置であっても、同様に本発明を実施することができる。
【００２３】
データを受信して記録（ＲＥＣ）する場合、まず放送電波がアンテナ１で受信され、ＰＬＬ（フェーズロックドループ）やフィルタ等で構成されるチューナ部２に入力される。デジタル放送の場合は、復調部３でデジタルデータに復調した後、誤り訂正・検出等を施されて、ＰＣＭデータとして圧縮部４ａに入力される。圧縮部４ａは、伸長部４ｂと組合わされている。圧縮部４ａで圧縮処理を施されたデータは、制御装置であるＣＰＵ５を介して記録装置６に出力されて記録される。記録装置６に記録されたデータを再生する再生処理（ＰＬＡＹ）を行うときは、ＣＰＵ５が記録装置６からデータを読出して伸長部４ｂに入力し、ＰＣＭデータに伸長させた後、デジタルインタフェース（以下、「Ｄ＿Ｉ／Ｆ」と略称する）を介して外部にデジタル信号として送出したり、Ｄ／Ａ変換回路８でアナログ信号に変換して、増幅器（以下、「ＡＭＰ」と略称する）で電力増幅してスピーカ等を駆動し、音響出力を得ることができる。記録装置６は、パッケージメディア等の記録媒体、フラッシュメモリ等の半導体メモリまたはメモリカード等を対象とし、データの記録と再生とが可能である。
【００２４】
本実施形態では、ＣＰＵ５が予め設定されるプログラムにしたがって、データ付加手段、データ出力手段、データ判定手段、およびデータ記録手段として動作する。
【００２５】
ＦＭ放送等の主データである音声データはアナログ信号であるので、チューナ部２からＡ／Ｄ変換回路１０に入力され、デジタルのＰＣＭデータに変換されて圧縮部４ａに入力される。圧縮処理後は、前述のデジタルデータと同様に取扱われる。
【００２６】
副データは、圧縮処理の対象ではないので、圧縮部４ａによる圧縮処理をされずにＣＰＵ５に入力される。再生処理時、副データは、予め定められるデータ、またはキー１１によって選択されるデータがＣＰＵ５によって記録装置６から読出され、液晶表示器（ＬＣＤ）または蛍光表示管（ＦＬ）等を備える表示装置１２に出力され、テキスト等として表示される。
【００２７】
なお、他の記録装置等へのデータ転送の場合は、記録装置６から取出されたデータのうち、主データは伸長部４ｂによる伸長処理後、副データは直接、Ｄ＿Ｉ／Ｆ７にそれぞれ入力し、所定のデジタルオーディオインタフェースの仕様に従って出力される。逆に他の受信装置や記録装置からのデータ転送の場合は、データはＤ＿Ｉ／Ｆ７を介して受信し、主データと副データとに分割後、主データは圧縮部４ａで圧縮処理を施し、副データは誤り検出処理を施して、記録装置６に格納する。
【００２８】
図２は、図１の受信端末に関する放送システムの概要を示す。放送によって伝送されるデータは、番組作成会社２１等で作成され、放送局２２から直接、または衛星２３等を経由して伝送される。伝送されるフォーマットは、使用する伝送路に応じて独自に定められている。放送されるデータは、受信端末３１で受信される。本実施形態の受信端末３１は、図１に示すような内部構成を有するので、放送されたデータを記録装置６に記録することができるとともに、Ｄ＿Ｉ／Ｆ７を介して、他の記録端末３２に転送し、記録させることもできる。
【００２９】
図３は、放送用のデジタルデータに関する伝送フォーマットの例を示す。図３（ａ）は１ブロック目の伝送フォーマットを示し、図３（ｂ）は２ブロック目以降の伝送フォーマットを示す。放送のデジタルデータの伝送フォーマットは、ブロックの同期確定用のヘッダ部、番組管理部、メッセージ情報、および冗長ビットから構成される。
【００３０】
同期確定用のヘッダ部は、数種類の符号からなり、ブロックの種類としてデータブロック／パリティブロックの判定、ブロック同期確定、およびデータ伝送レベルにおけるフレーム同期確定用に使用される。複数回連続してヘッダ部を検出すると、ブロック同期の確立判定が行われ、また複数回連続してヘッダ部が検出されない場合は、ブロック同期が外れたと判定される。
【００３１】
番組管理部には、「種類識別」や「情報識別」による該ブロックデータの種類についての情報、「局識別」による該データの送出局識別情報、「番組番号」による番組識別のための情報、およびメッセージが大きく、複数ブロックで１メッセージを送出する場合のブロック位置を示す連番情報としての「プロトコル番号」等が格納される。図３（ａ）に示すように、先頭の第１ブロックには、さらに番組時刻情報も送出される。
【００３２】
メッセージ情報は、該番組識別のための情報毎のフォーマットで送出される。たとえば、受信端末での表示情報、受信端末のタイマ用時間情報、および伝送中の番組一覧情報等、種々の情報が各々のフォーマットで送出される。本実施形態では、そのようなメッセージ情報のうち、受信端末側で記録媒体、電気的、磁気的、または光学的にデジタルデータを記録するパッケージメディアなどの記録媒体に記録するメッセージ情報に関して、記録媒体間におけるデータ伝送のフォーマットに近似したフォーマットを用いる。
【００３３】
なお、番組管理情報においても、該メッセージを送出する場合は、データの種類または番組識別等によって、続くメッセージが記録媒体間のデータ伝送に近似したフォーマットであるか否かの判定が可能なように、別途定める必要がある。
【００３４】
冗長ビットは、伝送における誤り訂正（エラー訂正）、および誤り検出（エラー検出）に用いられる。たとえば、移動体に適したＦＭ文字多重放送に用いられる誤り訂正符号は、マルチパスやフェージング等に起因するノイズなどによる伝送路における誤りの訂正／検出のために、ヘッダ部を除いた情報を対象にした（２７２，１９０）差集合巡回符号の積符号が用いられる。各ブロック（パケット）には、８２ビットの誤り訂正および誤り検出用のパリティビットが設けられ、さらに積符号用に１フレーム中に８２パケットが含まれる。１フレームは２７２パケットで構成され、１フレーム中の８２フレームのパリティパケットは、他のデータパケットにインターリーブして送出される。ＦＭ文字多重放送においては、ブロック単位で、１４ビットのＣＲＣ（Ｃyclic Ｒedundancy Ｃheck）エラー検知用パリティビットが付加され、誤り検出が可能であるとともに、番組毎にも番組用１６ビットのＣＲＣが用いられ、さらに誤り検出能力が強化されている。
【００３５】
以上説明したように、放送の伝送系においては、送信データの本体であるメッセージ情報に比較して、該メッセージ情報を伝送するのに必要となるヘッダ部、管理するために必要となる番組管理部、および誤り訂正・検出用の冗長ビットの割合が大きい。前述のＦＭ文字多重放送の場合は、１フレームの約７割がデータパケットで、データパケットの約５割がメッセージ情報であるので、１フレーム中のメッセージ情報量は約３．５割である。このため、メッセージ情報では、冗長部の削減等の効率化が求められている。
【００３６】
次に、図２の受信端末３１から記録端末３２への記録装置間のデータ伝送のフォーマットについて説明する。デジタル音楽データなどのデジタルオーディオデータの記録媒体間のデータのうち、主音声データに関する伝送フォーマットは、デジタルオーディオインタフェースの規格等によって、規格化されている。デジタルオーディオインタフェースは、デジタルＰＣＭデータをシリアルに転送する規格である。該デジタルＰＣＭデータを主データとして、これにインタリーブ形で、テキストデータや著作権情報等、副データである各種データの転送が可能である。
【００３７】
図４は、副データのデータ転送フォーマットの例を示す。該データ転送フォーマットで、先頭からの４バイトのＩＤ１〜ＩＤ４は、データの内容の制御・管理用のデータに割当てられる。本発明では、特に１バイト目のＩＤ１をデータのタイプを表すコードとし、３バイト目のＩＤ３を分割されたデータ中のデータのシーケンス番号として扱う。ＩＤ１が示すデータのタイプを用いると、アルバム情報、演奏者、作詞者、作曲者等のデータ識別が可能になる。
【００３８】
副データの本体は、Ｄ１〜Ｄ１２の１２バイトで転送される。副データが１２バイトを超える場合は、前述のＩＤ３の情報を利用すれば、受信側で一連のデータとして取扱うことができる。最後の２バイトのＣＲＣデータは、記録媒体間転送の際のノイズ等による誤り（エラー）発生の有無を検出するための冗長ビットである。本ＣＲＣデータは、記録媒体間でのデータ転送用であり、放送データの転送時には利用されない。放送データの転送時の誤り検出用パリティビットは、前述のように、別に準備されている。
【００３９】
図５は、従来の放送データ伝送フォーマットをメッセージのデータ構成も含めて示す。図５（ａ）は１パック目、図５（ｂ）は２パック目をそれぞれ示す。記録装置間の副データのデータ伝送フォーマットを、放送波による副データの伝送フォーマットのまま送出する場合は、記録装置間の副データのデータ単位としての１データパック当り、放送波では２パケット（ブロック）必要になる。特に、２パック目は、図５（ｂ）に示すように、１パック目に送出することができなかったＤ１＿１２の１バイトと誤り検出用のＣＲＣの２バイトを送出するために全部で２８８bit （３６バイト）のデータを送出しなければならず、効率が悪い。なお、２パック目のＩＤ１〜ＩＤ４はＤ１＿１２の管理用に付加される。番組管理部で管理可能な場合は、省略しても効果は同じである。また、ＣＲＣの格納位置は、Ｄ１＿１２の直後でもよい。
【００４０】
本発明では、まず、放送データによって提供されたデータであることの識別機能をＩＤ１に付加し、記録装置間でのデータ伝送フォーマットのうち、放送データの番組管理部のプロトコル番号等によって復元可能なデータであるＩＤ３を省略する。また、各データパック単位に対するＣＲＣビットの削減を行う。さらに、複数データパックで伝送される一群のデータをまとめたフレーム単位でのＣＲＣデータを用いることによって、放送波による副データを伝送する記録装置間の伝送データ量の削減を行うとともに、正規の記録装置間の伝送フォーマットに近似したデータ伝送フォーマットを実現し、さらに新規ＣＲＣデータの採用によって信頼性の向上を図っている。
【００４１】
図６は、本実施形態で用いるデータ伝送フォーマットを示す。図６（ａ）は、第１パックの伝送フォーマットを示す。ＩＤ１は、放送による伝送データであることを示す識別符号を有するデータとして扱う。該識別符号は、従来はリザーブとして使用していないビットのうちの特定ビットに割当て、従来の識別データとの共用を図る。たとえば、上位４ビット（Ｂ４〜７）を該識別符号としてのフラグに割当て、該４ビットが全て’１’（”１１１１ｘｘｘｘ”＝ｆｘｈ）の場合に本実施形態のデータ伝送フォーマットを示すように定める。なお、「ｘ」は、２進数表示では’１’または’０’のいずれも可能であることを示し、１６進数表示では０〜１５のいずれの値も可能であることを示す。また、’ｈ’は１６進数表示であることを示す。
【００４２】
正規のデータ伝送フォーマットで、副データの対象となるデータ群のＩＤ１の上位４ビットが”１０００ｘｘｘｘ”（＝８ｘｈ）である場合は、下位４ビットを共用することができる。たとえば、
８１ｈ：正規フォーマットで格納された歌手名
ｆ１ｈ：データ伝送フォーマットで格納された歌手名
となる。これによって、受信端末３１では、該副データを表示等のために復号する場合に、データの選択等の処理の共通化が可能になる。
【００４３】
また、１パック目であることは明らかであるので、シーケンス番号を表すＩＤ３は省略する。１パック目のＩＤ３の値は００ｈに固定されるので、不要となる。これによって、冗長部を除く１パック目のデータは、放送波の伝送における１パケットに収めることができる。なお、第１パック分のデータしかないときは、第２パックを最終パックとして、データ部分にダミーデータを送出して、ＩＤ１〜ＩＤ４およびＣＲＣを送付する。
【００４４】
図６（ｂ）は、前述の第１パック分のデータしかないときを除く、２パケット目以降のデータ伝送フォーマットを示す。第２パケットでは、メッセージ部分のデータ容量は１５２bit （１９バイト）あり、第２パックが最終パケットでない場合は、ＩＤ１からＩＤ４までの４バイトと、データ１２バイトの計１６バイトを、１パケットに収めることができる。ここでは、受信端末側での受信データから、記録装置間でのデータ転送フォーマットへの変換用データ編集作業の軽減を図るため、メッセージの構成を、パック構成のフォーマットにより近づけるため、ＩＤ３も省略しないで残す。ただし、何パック目か判っていれば、ＩＤ３は省略しても、復元は可能である。
【００４５】
図６（ｃ），（ｄ），（ｅ）は、最終パックのデータ伝送フォーマットを示す。第ｎパック目の最終パックには、第１パックからの全データ部分を対象にした１６bit （２バイト）のＣＲＣデータを設ける。このＣＲＣデータのカバーエリアとして、データの部分は必須であるけれども、ＩＤ１〜ＩＤ４はカバーしなくてもよい。ただし、対象範囲が広い方が信頼性を高くすることができるので、伝送される有効データを全て対象とするか、または受信端末３１を含む記録装置側での処理の効率化に配慮し、第１パックで省略されるＩＤ３を除くＩＤ１、ＩＤ２、ＩＤ４およびデータ部分をＣＲＣの対象とするのが有効である。
【００４６】
図６（ｃ）は、最終ｎパック目のデータを全て（１２バイト）有効にした場合のデータ伝送フォーマットの例である。有効データ数としては、本フォーマットが最も効率的である。図６（ｄ）は、ＣＲＣをデータ転送階層のデータではなく、上位階層の番組作成時のデータの一部としてデータ部分で処理する場合に有効なデータ伝送フォーマットの例であり、ＣＲＣはデータ部分に格納される。図６（ｅ）は、上記いずれの位置でも対応することができるように、予めデータの最終部分にＣＲＣデータ分（２バイト）のダミーデータ（００ｈ等）を挿入しておくデータ伝送フォーマットの例である。
【００４７】
なお、たとえば、受信端末３１で独自に入力したコメント等のテキストデータを副データとして転送するための対応用に、パック転送用のＣＲＣの生成機能を有する場合は、データ部分にＣＲＣを格納しない図６（ｃ）または図６（ｅ）のデータ伝送フォーマットが有効である。
【００４８】
図７は、最終パック目に図６（ｅ）のデータ伝送フォーマットを用いて、一連のデータをまとめた状態を示す。
【００４９】
なお、放送されるデータを受信する場合は、放送データに格納されている冗長ビットを用いて誤り訂正および誤り検出を行うので、前述のようにして付加するＣＲＣデータは利用しない。また、前述のパック転送用のＣＲＣ生成機能を有しない場合は、受信データに１パック目のＩＤ３を挿入する処理を施してから記録装置に記録する。該パック転送用のＣＲＣの生成機能を有する場合は、ＣＲＣの生成機能を有しない場合と同じ処理をするか、または、ＩＤ１をｆｘｈから８１ｈに変換し、ＩＤ３を挿入し、パック単位でのＣＲＣ計算およびＣＲＣ挿入を行って正規のパックデータフォーマットへ変換して、記録装置に記録する。
【００５０】
次に、記録装置間のデータ転送で、本実施形態で用いるデータを送信する場合のデータ処理について説明する。送信時は、ＩＤ１〜ＩＤ４およびデータ部が記録装置に格納されているので、最終データ以外は、たとえばｆｆｈのダミーデータを、正規のデータ伝送フォーマットでＣＲＣ部分となるデータ部の後の部分に２バイト追加して送出する。最終データに関しては、図６（ｃ）から図６（ｅ）のいずれかの仕様に従って生成する。これによって、デジタルオーディオインタフェースに規定される本来の記録装置間のデータ転送のフォーマットに近似したデータフォーマットを実現することができる。
【００５１】
最後に、記録装置間のデータ転送で、本実施形態で用いるデータを受信する場合のデータ処理について説明する。受信側は、受信したＩＤ１を判定し、ｆｘｈの場合はパック単位での誤り検出（ＣＲＣチェック）は実施しないで、対象データ全パック受信した後、受信したＣＲＣデータによって、誤り検出を行う。誤り検出の判定結果が誤り無しの場合は、正常データとして記録装置６に格納する。誤り有りの場合は、表示装置１２等に不具合発生表示等を行い、使用者に知らせる。誤りの発生したデータは、破棄または一時的に記録する。一時的に記録したデータは、使用者によって、破棄、または修正等の処理が施される。なお、対象データの全パックの受信判定は、予めＩＤ４等に格納される最終フラグ等の最終パックを明記するフラグ、または有効パック数の指定等によって行われる。最終パック判定は、従来の通常のデータ処理でも必要であり、既に確立している技術を流用すればよい。
【００５２】
本発明の実施の第２形態として、実施の第１形態で付加する対象データの全パックを対象とするＣＲＣデータを省略することもできる。本実施形態では、放送によって受信端末に伝送されたデータは、放送のデータ伝送フォーマットを用いた誤り訂正および誤り検出が施され、ＩＤ３が復元処理された後、記録装置に記録される。記録装置に記録されたフォーマットは、正規のパック転送用に規定されたパック転送時の誤り確認用ＣＲＣがダミーデータ（ｆｆｈ）に置き換わった形であり、有効データ部分は共通であるような近似フォーマットである。
【００５３】
フォーマットの判定はＩＤ１に基づいて行うことができる。ＩＤ１で近似フォーマットと判定されたデータのパック転送時には、パック転送毎のＣＲＣチェック判定を行わない、または無視する等の処理によってパック転送毎のＣＲＣチェックに代えることを除いて、正規のパック転送に準じた処理を行う。これによって、放送等によって受信したデータに関し、正規処理に準じたパック転送処理を行うことができる。
【００５４】
本実施形態の場合、全データを対象とするＣＲＣチェックを省略することができるので、さらにデータ転送の効率化を図ることができる。特に、１パックでデータ転送が完結するデータは、実施の第１形態でのＣＲＣデータ転送用のダミーパックを送出する必要がなく、１パックのみの転送で処理を終了させることができる。また、記録装置にとっても、追加機能である全データ対象のＣＲＣチェック機能の追加を削減することができる。なお、実施の第１形態についての説明で言及したパック転送用のＣＲＣ生成機能を有する場合は、パック転送における正規のフォーマットを復元することができる。ただし、データの生成処理等のコストおよび処理の増加を伴う。
【００５５】
図８および図９は、本発明の実施の第３形態としてのデータ伝送フォーマットを示す。本実施形態では、実施の第１形態での放送フォーマットにおけるダミーデータのカットおよびＩＤ３の省略によって、よりデータ転送の効率向上を図ることができる。図８（ａ）に示す１パック目のデータ伝送フォーマットは図６（ａ）に示す１パック目と同一のデータ伝送フォーマットである。以下、実施の第１形態との差異部分のみ説明する。
【００５６】
本実施形態の場合は、図８（ｂ）、図８（ｃ）および図８（ｄ）に示すように、第２パック目以降のパケットにおいては、複数のパックデータが格納される。したがって、パックデータのシーケンスデータを格納したＩＤ３は意味を持たなくなるので、２パック目以降のＩＤ３は受信側での再計算処理で補充することとし、伝送対象のデータからは省略する。これによって、１パケット当り１バイトのデータ削減による伝送効率の向上を図ることができる。さらに、図６（ｂ）に示すような、先頭および最終パケットを除く中間パケットのデータ部分に続く３バイトのダミーデータを省略する。これによって、たとえば図９に示すように、さらにデータの伝送効率を向上を図ることができる。
【００５７】
本実施形態の受信側では、受信パケットから一連のパックデータを抽出する処理が追加されるけれども、放送波の伝送効率の向上や伝送量の削減に伴う信頼性の向上も図ることができる。
【００５８】
さらに、本発明の実施の第４形態として、実施の第３形態では付加される全パック対象のＣＲＣデータを省略することもできる。実施の第１形態に対する実施の第２形態と同様な効果が得られる。
【００５９】
以上説明した、各実施形態では、放送によるデータ伝送と記録装置間のデータ転送という異なる伝送系を対象としたデータ伝送フォーマットを、各データ転送のレベルにおいて、より効率的に処理が可能となるようにすることができる。
【００６０】
放送系での伝送は、マルチパスおよびフェージング等のノイズ環境に対して強力な誤り訂正・検出能力を有している。これによってえられる信頼性を有効に活用し、放送系での信頼性を確保しつつ、記録装置間のデータ転送処理においてはパケット単位ではなく、有意のデータのみを対象としたデータ群単位の誤り検出を施すことによって、放送側においては、誤り検出用のＣＲＣ生成処理を削減することができ、記録装置側では誤り検出ＣＲＣ計算回数をパック単位から群単位に削減することができ、処理量の削減を図ることができる。
【００６１】
記録装置間のパック単位でのデータ転送フォーマットに近似したフォーマットで転送するため、送信側においては正規フォーマットと同等の処理で送信処理を行うことができ、受信側においては正規フォーマットに準じたデータ受信処理を行うことができ、かつ、処理コストの削減を実現することができる。
【００６２】
ＩＤ１をデータ転送時のパックタイプの識別情報として利用する際に、放送によって伝送されたデータと正規データのタイプ種別を複数ビット（実施形態では下位４bit ）共通にすることによって、データの判定処理およびデータ処理の共通化を図ることができる。
【００６３】
【発明の効果】
以上のように本発明によれば、複数のパケットが時系列的に伝送される信号を受信し、受信データのフォーマットを記録装置でデータ記録に用いるフォーマットに近似させ、信頼性を保持したままでデータ伝送の効率を向上させることができる。
【００６４】
さらに本発明によれば、複数のパケットからなり、最終パケットに誤り処理用の信号が付されるフレームが時系列的に伝送される信号を受信し、受信データのフォーマットを記録装置でデータ記録に用いるフォーマットに近似させ、信頼性を保持しながら記録装置に記録するために行うデータ伝送の効率を向上させることができる。
【００６５】
また本発明によれば、受信データにダミーデータが付加されているか否かを識別情報に基づいて判定して、受信データに対する適切な処理を行うことができる。
【００６６】
さらに本発明によれば、記録装置でデータ記録に用いるフォーマットまたはそのフォーマットに近似するようにダミーデータが付加された信号に対して、ほぼ同様にデータ転送のための処理を行い、転送効率を向上させることができる。データ判定手段の判定結果に従って、近似させた信号に対してデータを補完して記録を行うので、記録装置に適合した状態で記録することができる。
【図面の簡単な説明】
【図１】本発明の実施の第１形態として、受信端末の概略的な電気的構成を示すブロック図である。
【図２】図１の受信端末に関する放送システムの概要を示すブロック図である。
【図３】放送用データ伝送フォーマットを示す図である。
【図４】正規の記録装置間の転送用データ伝送フォーマットを示す図である。
【図５】図３の放送用データ伝送フォーマットで従来のメッセージのデータ構成を示す図である。
【図６】本発明の実施の第１形態で用いる放送用データ伝送フォーマットを示す図である。
【図７】最終パックを図６（ｅ）のフォーマットでまとめた一連のデータを示す図である。
【図８】本発明の実施の第３形態で用いる放送用データ伝送フォーマットを示す図である。
【図９】図８のフォーマットを用いて転送するデータを示す図である。
【符号の説明】
２  チューナ部
３  復調部
５  ＣＰＵ
６  記録装置
７  Ｄ＿Ｉ／Ｆ
１２  表示装置
２２  放送局
２３  衛星
３１  受信端末
３２  記録端末
【図１】
0004014751.tif 000002
【図２】
0004014751.tif 000003
【図３】
0004014751.tif 000004
【図４】
0004014751.tif 000005
【図５】
0004014751.tif 000006
【図６】
0004014751.tif 000007
【図７】
0004014751.tif 000008
【図８】
0004014751.tif 000009
【図９】
0004014751.tif 000010